(57)【要約】【課題】プロジェクション溶接によって、内側縦片と五徳枠とを精度良く接続できるガスコンロ用の五徳を提供する。【解決手段】ガスコンロ本体の天板３のコンロバーナ設置箇所の周囲に載置する環状の五徳枠５Ａに、五徳枠径方向に延びる姿勢の五徳爪５Ｂが、五徳枠５Ａの周方向の複数箇所に設けられ、五徳爪５Ｂが、五徳枠５Ａに下端が接続された状態で上方に伸びる姿勢の内側縦片５ｎと、内側縦片５ｎの上端から五徳枠径方向に沿って外方側に延びる姿勢の上側片５ｕと、上側片５ｕの外端部から下方に伸びる姿勢で且つ下端が天板３に載置される外側縦片５ｓとから構成され、内側縦片５ｎの下端部に、五徳枠５Ａの上部に載置された状態で五徳枠５Ａに接続される接続用腕部５ａが、内側縦片５ｎから五徳枠径方向に沿って屈曲する形態で設けられている。【選択図】図２
2015200481.tif 000002
【特許請求の範囲】
【請求項１】
ガスコンロ本体に装備する天板のコンロバーナ設置箇所の周囲に載置する環状の五徳枠に、五徳枠径方向に延びる姿勢の五徳爪が、前記五徳枠の周方向の複数箇所に設けられ、
前記五徳爪が、前記五徳枠に下端が接続された状態で上方に伸びる姿勢の内側縦片と、前記内側縦片の上端から前記五徳枠径方向に沿って外方側に延びる姿勢の上側片と、前記上側片の外端部から下方に伸びる姿勢で且つ下端が前記天板に載置される外側縦片とから構成されているガスコンロ用の五徳であって、
前記内側縦片の下端部に、前記五徳枠の上部に載置された状態で当該五徳枠に接続される接続用腕部が、前記内側縦片から前記五徳枠径方向に沿って屈曲する形態で設けられているガスコンロ用の五徳。
【請求項２】
前記接続用腕部が、前記内側縦片から前記五徳枠径方向の外方側に屈曲する形態で設けられている請求項１記載のガスコンロ用の五徳。
【請求項３】
前記上側片が、前記五徳枠径方向における内方側端部を、前記五徳枠径方向において、前記内側縦片の下端部よりも内方側に位置させる形態に構成されている請求項１又は２記載のガスコンロ用の五徳。
【請求項４】
前記内側縦片における、少なくとも前記五徳枠径方向における内方側部分が、上方側部を下方側部よりも前記五徳枠径方向において内方側に位置させる形態に構成されている請求項３記載のガスコンロ用の五徳。
【請求項５】
前記五徳枠が、横断面形状が円形の棒状材にて構成されている請求項１〜４のいずれか１項に記載のガスコンロ用の五徳。
【発明の詳細な説明】
【技術分野】
【０００１】
本発明は、ガスコンロ本体に装備する天板のコンロバーナ設置箇所の周囲に載置する環状の五徳枠に、五徳枠径方向に延びる姿勢の五徳爪が、前記五徳枠の周方向の複数箇所に設けられ、前記五徳爪が、前記五徳枠に下端が接続された状態で上方に伸びる姿勢の内側縦片と、前記内側縦片の上端から前記五徳枠径方向に沿って外方側に延びる姿勢の上側片と、前記上側片の外端部から下方に伸びる姿勢で且つ下端が前記天板に載置される外側縦片とから構成されているガスコンロ用の五徳に関する。
【背景技術】
【０００２】
かかるガスコンロ用の五徳は、ガスコンロに装備したコンロバーナにて加熱する鍋やフライパン等の調理容器を載置支持するために、ガスコンロに装備されるものであり、五徳爪が、五徳枠径方向に延びる姿勢に形成されることにより、大径の調理容器や小径の調理容器を適切に載置支持できるものである。
【０００３】
そして、五徳爪の外側縦片の下端が天板にて載置され、内側片の下端部が天板に載置される五徳枠に接続されるものであるから、調理容器を載置する上側片が、五徳枠径方向における内端部が内側縦片にて支持され、かつ、五徳枠径方向における外端部が外側縦片にて支持される両持ち姿勢で支持されることになる。
したがって、上側片に作用する荷重を、内側縦片と外側縦片とによって分散して支持することになるため、内側縦片や外側縦片を、細い軸状部材等、細い部材にて構成することができ、加えて、両持ち姿勢で支持される上側片も、細い軸状部材等、細い部材にて構成することができる。
【０００４】
このように、内側縦片、外側縦片、及び、上側片を、細い部材にて構成することができるため、五徳爪を製作するための材料量を減少させて、五徳の低廉化を図ることができ、また、五徳爪を製作するための材料量の減少により、五徳の軽量化を図ることができるものである。
【０００５】
かかるガスコンロ用の五徳の従来例として、五徳爪の内側縦片が、単に、上下方向に伸びる形態に構成されて、その内側縦片の下端が、五徳枠に載置された状態で五徳枠に接続されるように構成されたものがある（例えば、特許文献１参照。）。
【０００６】
ちなみに、特許文献１には、このような五徳を備えるガスコンロとして、ガラス製の天板のコンロバーナ設置箇所に、バーナ挿通用開口が形成され、バーナ挿通用開口の内縁とコンロバーナ設置箇所に配置するコンロバーナとの間の隙間を塞ぐバーナリングが、天板に位置決めされた状態で設けられているガスコンロが開示されている。
【０００７】
そして、五徳枠が、五徳枠径方向における外方部を天板に載置しかつ五徳枠径方向における内方部にてバーナリングを覆う幅広の環状の板状に形成され、そして、五徳爪の内側縦片の下端に、五徳枠に形成した挿入孔に挿入される小径の軸部が形成されて、内側縦片の下端部が、軸部を挿入孔に挿入した状態で、溶接により、五徳枠に接続されるように構成されている。
【先行技術文献】
【特許文献】
【０００８】
【特許文献１】特開２０１４−２０６４６号公報
【発明の概要】
【発明が解決しようとする課題】
【０００９】
五徳爪の内側縦片の下端部を五徳枠に溶接にて接続するにあたり、溶接棒を必要とするアーク溶接等に較べて安価な溶接手段である、プロジェクション溶接を用いることが望まれるが、従来の五徳は、プロジェクション溶接が行い難いものであり、その結果、内側縦片と五徳枠とを精度良く接続することができない虞があった。
【００１０】
すなわち、従来の五徳において、五徳爪の内側縦片の下端部を五徳枠にプロジェクション溶接する際には、内側縦片の下端面を五徳枠の上面に載置した状態で、内側縦片の上端面と五徳枠の下面とに溶接用冶具を当て付けるようにして、内側縦片と五徳枠とを溶接用冶具にて挟み込みことにより、内側縦片の下端面を五徳枠の上面に押付けるようにしながら、上側縦片と五徳枠との間に溶接用電流を通電して、上側縦片と五徳枠とを溶融させて接続することになる。
【００１１】
しかしながら、内側縦片の上端面と五徳枠の下面との間の距離が大きいため、内側縦片と五徳枠とを溶接用冶具にて挟み込み難い等に起因して、内側縦片と五徳枠との溶融量と溶融方向とが適正状態になるように、内側縦片の下端面を五徳枠に押付けることができない虞があり、その結果、内側縦片と五徳枠とを精度良く接続することができない虞があった。
【００１２】
本発明は、上記実情に鑑みて為されたものであって、その目的は、プロジェクション溶接によって、内側縦片と五徳枠とを精度良く接続できるガスコンロ用の五徳を提供する点にある。
【課題を解決するための手段】
【００１３】
本発明のガスコンロ用の五徳は、ガスコンロ本体に装備する天板のコンロバーナ設置箇所の周囲に載置する環状の五徳枠に、五徳枠径方向に延びる姿勢の五徳爪が、前記五徳枠の周方向の複数箇所に設けられ、
前記五徳爪が、前記五徳枠に下端が接続された状態で上方に伸びる姿勢の内側縦片と、前記内側縦片の上端から前記五徳枠径方向に沿って外方側に延びる姿勢の上側片と、前記上側片の外端部から下方に伸びる姿勢で且つ下端が前記天板に載置される外側縦片とから構成されているものであって、その第１特徴構成は、
前記内側縦片の下端部に、前記五徳枠の上部に載置された状態で当該五徳枠に接続される接続用腕部が、前記内側縦片から前記五徳枠径方向に沿って屈曲する形態で設けられている点を特徴とする。
【００１４】
すなわち、五徳爪の内側縦片の下端部を五徳枠にプロジェクション溶接する際には、内側縦片の接続用腕部を五徳枠に載置した状態で、接続用腕部の上端面と五徳枠の下面とに溶接用冶具を当て付けるようにして、内側縦片の接続用腕部と五徳枠とを溶接用冶具にて挟み込みことにより、接続用腕部の下端面を五徳枠の上面に押付けるようにしながら、接続用腕部と五徳枠との間に溶接用電流を通電して、接続用腕部と五徳枠とを溶融させて接続することになる。
【００１５】
そして、接続用腕部の上端面と五徳枠の下面との間の距離が小さくて、接続用腕部と五徳枠とを溶接用冶具にて適正状態で挟み込み易いため、接続用腕部と五徳枠との溶融量と溶融方向とが適正状態になるように、内側縦片の下端面を五徳枠に押付けることができるものとなり、その結果、内側縦片と五徳枠とを精度良く接続することができる。
【００１６】
ちなみに、接続用腕部は、内側縦片の下端部から五徳枠径方向に沿って片持ち状に突出するものとなるが、接続用腕部の長さは、溶接用冶具を当て付けることができる程度の小さな長さであるから、接続用腕部の構成材料としては、五徳爪の他の部分と同程度の細い部材にて構成することができるものであり、接続用腕部を備えさせても、五徳爪を製作するための材料量の減少により五徳の低廉化を図ることや、五徳爪を製作するための材料量の減少により五徳の軽量化を図ることを維持できるものとなる。
【００１７】
要するに、本発明の第１特徴構成によれば、プロジェクション溶接によって、内側縦片と五徳枠とを精度良く接続できるガスコンロ用の五徳を提供できる。
【００１８】
本発明のガスコンロ用の五徳の第２特徴構成は、上記第１特徴構成に加えて、
前記接続用腕部が、前記内側縦片から前記五徳枠径方向の外方側に屈曲する形態で設けられている点を特徴とする。
【００１９】
すなわち、接続用腕部が、内側縦片から五徳枠径方向の外方側に屈曲する形態で設けられているから、上側片の下方箇所に接続用腕部が位置するため、平面視においては、上側片にて接続用腕部が覆われることなる等に起因して、接続用腕部が内側縦片の下端部に存在しながらも、五徳爪の外観をすっきりした状態にして、意匠性を向上できる。
【００２０】
つまり、接続用腕部を、内側縦片から五徳枠径方向に屈曲する形態で設けるにあたり、五徳枠径方向の内方側に屈曲させる形態で設けることが考えられるが、この場合には、接続用腕部が、五徳爪から五徳枠径方向の内方側に突出する状態で存在するため、五徳爪の外観が複雑な状態となり、意匠性が低下するものとなる。
【００２１】
要するに、本発明の第２特徴構成によれば、上記第１特徴構成による作用効果に加えて、意匠性を向上できるガスコンロ用の五徳を提供できる。
【００２２】
本発明のガスコンロ用の五徳の第３特徴構成は、上記第１又は第２特徴構成に加えて、
前記上側片が、前記五徳枠径方向における内方側端部を、前記五徳枠径方向において、前記内側縦片の下端部よりも内方側に位置させる形態に構成されている点を特徴とする。
【００２３】
すなわち、上側片の五徳枠径方向における内方側端部が、五徳枠径方向において、内側縦片の下端部よりも内方側に位置させるものであるから、内側縦片がコンロバーナに近づくことを抑制しながらも、上側片の五徳枠径方向における内方側端部を、五徳枠の中心側に近づけるようにすることができる。
【００２４】
したがって、上側片の五徳枠径方向における内方側端部を、五徳枠の中心側に近づけるようにすることによって、小径の調理容器をも良好に載置できるようにしながらも、内側縦片がコンロバーナに近づくことを抑制することにより、内側縦片がコンロバーナにて加熱されることを回避して、五徳爪の耐久性の向上を図ることができる。
【００２５】
要するに、本発明の第３特徴構成によれば、上記第１又は第２特徴構成による作用効果に加えて、小径の調理容器をも良好に載置できるようにしながらも五徳爪の耐久性の向上を図ることができるガスコンロ用の五徳を提供できる。
【００２６】
本発明のガスコンロ用の五徳の第４特徴構成は、上記第３特徴構成に加えて、
前記内側縦片における、少なくとも前記五徳枠径方向における内方側部分が、上方側部を下方側部よりも前記五徳枠径方向において内方側に位置させる形態に構成されている点を特徴とする。
【００２７】
すなわち、内側縦片における、少なくとも五徳枠径方向における内方側部分が、上方側部を下方側部よりも五徳枠径方向において内方側に位置させる形態であるから、上側片の五徳枠径方向における内方側端部を、五徳枠径方向において、内側縦片の下端部よりも内方側に位置させる場合において、上側片の五徳枠径方向における内方側端部が、内側縦片の上方側部に対して、五徳枠径方向において内方側に突出しないようにする、又は、五徳枠径方向において内方側に突出する量を少なくすることができる。
【００２８】
つまり、上側片の五徳枠径方向における内方側端部を、五徳枠径方向において、内側縦片の下端部よりも内方側に位置させる場合において、内側縦片を、上方側部と下方側部とを五徳枠径方向において同じ位置に位置させる直立姿勢で設けることが考えられるが、この場合、上側片の五徳枠径方向における内方側端部が、内側縦片の上方側部に対して、五徳枠径方向において内方側に大きく突出する状態となる。
【００２９】
このように、上側片の五徳枠径方向における内方側端部が、内側縦片の上方側部に対して、五徳枠径方向において内方側に大きく突出する状態になると、例えば、清掃用の布等によって、五徳を拭き清掃する際に、内側縦片から大きく突出している上側片の内方側端部に、清掃用の布等が引っ掛かり易くなる等、五徳の清掃作業に支障を招く虞がある。
【００３０】
本第４特徴構成によれば、上側片の五徳枠径方向における内方側端部が、内側縦片の上方側部に対して、五徳枠径方向において内方側に突出しないようにする、又は、五徳枠径方向において内方側に突出する量を少なくすることができるものであるから、例えば、清掃用の布等によって、五徳を拭き清掃する際に、上側片の内方側端部に、清掃用の布等が引っ掛かることを回避する等、上側片の内方側端部が五徳の清掃作業に支障を招くことを回避できるのである。
【００３１】
要するに、本発明の第４特徴構成によれば、上記第３特徴構成による作用効果に加えて、上側片の内方側端部が五徳の清掃作業に支障を招くことを回避できるガスコンロ用の五徳を提供できる。
【００３２】
本発明のガスコンロ用の五徳の第５特徴構成は、上記第１〜第４特徴構成のいずれかに加えて、
前記五徳枠が、横断面形状が円形の棒状材にて構成されている点を特徴とする。
【００３３】
すなわち、五徳枠が、横断面形状が円形の棒状材にて構成されているから、五徳枠を安価に形成でき、しかも、五徳爪の内側縦片の下端部を五徳枠にプロジェクション溶接する際に、五徳枠の形状が、接続用腕部と五徳枠との間の溶接個所に溶接用電流を集中し易い形状となるため、五徳枠に対する特別な加工を行うことなく、プロジェクション溶接を良好に行うことができるため、製造コストの低下を図ることができる。
【００３４】
つまり、横断面形状が円形の棒状材は、直径が異なる多数種のものが市販されているから、五徳枠を形成するのに好適な直径の棒状材を購入して、購入した棒状材を環状に加工しながら五徳枠を安価に形成できる。
【００３５】
そして、横断面形状が円形の棒状材にて構成された五徳枠の形状は、内側縦片の接続用腕部と五徳枠とを溶接用冶具にて挟み込みことにより、接続用腕部の下端面を五徳枠の上面に押付ける状態において、接続用腕部と五徳枠との間の溶接個所に溶接用電流を集中し易い形状となるから、五徳枠に対する特別な加工を行うことなく、プロジェクション溶接を良好に行うことができる。
【００３６】
したがて、五徳枠を安価に形成しながら、五徳枠に対する特別な加工を行うことなく、プロジェクション溶接を良好に行うことができるのであり、その結果、製造コストの低下を図ることができるのである。
【００３７】
要するに、本発明の第５特徴構成によれば、上記第１〜第４特徴構成による作用効果に加えて、製造コストの低下を図ることができるガスコンロ用の五徳を提供できる。
【図面の簡単な説明】
【００３８】
【図１】ガスコンロの平面図
【図２】コンロバーナの装着部を示す縦断側面図
【図３】五徳の斜視図
【図４】五徳の正面図
【図５】別実施形態の五徳の斜視図
【発明を実施するための形態】
【００３９】
〔実施形態〕
本発明の実施形態を図面に基づいて説明する。
（ガスコンロの構成）
図１に示すように、ガスコンロ本体Ｈの上面部に、左右一対のコンロバーナ１として、左方側コンロバーナ１Ａ及び右方側コンロバーナ１Ｂを備え、且つ、ガスコンロ本体Ｈの内部にグリル部（図示せず）を備えるガスコンロが構成されている。
このガスコンロは、キッチンカウンタに形成したコンロ装着口に上方から挿入して組付ける、いわゆるビルトインタイプとして構成されるものであって、詳述はしないが、ガスコンロ本体Ｈの上部の周縁部には、キッチンカウンタに載置する鍔部が形成されている。
【００４０】
ガスコンロ本体Ｈの上部には、ガラス製の天板３が装備され、ガスコンロ本体Ｈの上面部の後部側には、グリル部Ｇの燃焼排ガスを排気するためのグリル排気口４が形成されている。
また、天板３の上部には、コンロバーナ１にて加熱される鍋等の調理容器を載置するための五徳５が、左右のコンロバーナ１の夫々に対応して設けられている。
【００４１】
ちなみに、ガスコンロ本体Ｈの上面部の手前側箇所には、左方側コンロバーナ１Ａ及び右方側コンロバーナ１Ｂの夫々に対する一対のコンロ用操作具６Ａ、６Ｂが、上方に離脱自在に設けられ、一対のコンロ用操作具６Ａ、６Ｂの間に相当する箇所には、運転スイッチ７が設けられている。
一対のコンロ用操作具６Ａ、６Ｂは、前後や左右のスライド操作及び左右の回転操作により、点火及び消火の指令、目標火力の指令、目標温度に維持する自動温度調理の指令、及び、タイマー調理の指令等を行うように構成されている。
【００４２】
尚、一対のコンロ用操作具６Ａ、６Ｂの周囲には、指令された目標火力を示す火力表示部８ａ、自動温度調理における目標温度を示す温度表示部８ｂ、タイマー調理における調理時間を示す時間表示部８ｃ、自動温度調理の実行中であることを示す自動温度調理表示部８Ｂ、及び、タイマー調理の実行中であることを示すタイマー調理表示部８Ｃ等の表示部や、炊飯制御の実行を指令する炊飯スイッチ９Ａ及び湯沸し制御の実行を指令する湯沸しスイッチ９Ｂ等のスイッチ部が設けられている。
【００４３】
（コンロバーナの構成）
左方側コンロバーナ１Ａ及び右方側コンロバーナ１Ｂは同様に構成されるものであり、以下、左方側コンロバーナ１Ａを代表にして、コンロバーナ１の構成を説明する。
図２に示すように、左方側コンロバーナ１Ａは、ガスノズルＮからガス燃料が供給される混合管部１０ａ及びバーナボディ部１０ｂを備えるバーナ本体１０と、バーナボディ部１０ｂの上部に着脱自在に載置されるバーナキャップ１１とを備えている。
【００４４】
天板３におけるコンロバーナ設置箇所には、バーナ挿通用開口１２が形成されている。
そして、バーナ本体１０が、バーナボディ部１０ｂをバーナ挿通用開口１２内に位置させた状態で、ガスコンロ本体Ｈに支持されている。
つまり、左方側コンロバーナ１Ａが、天板３に形成したバーナ挿通用開口１２を通して、バーナボディ部１０ｂを天板３の下方から上方に突出させる状態で、ガスコンロ本体Ｈに装着されている。
【００４５】
バーナ挿通用開口１２の内縁とコンロバーナ設置箇所に配置された左方側コンロバーナ１Ａとの間の隙間を塞ぐバーナリング１３が、天板３に位置決めされた状態で設けられている。
すなわち、バーナリング１３は、環状の平板部１３Ａと、その平板部１３Ａの下面から下方に突出する筒部１３Ｂとから構成されている。
そして、バーナリング１３は、平板部１３Ａを天板３の上面に載置し、かつ、筒部１３Ｂの下端部を天板３の下面部に設けた固定金具Ｊに連結することにより、天板３に位置決めされるように構成されている。
【００４６】
ちなみに、バーナリング１３の筒部１３Ｂとバーナ本体１０のバーナボディ部１０ｂとの間に、環状のシール材Ｑが配置されており、また、図示は省略するが、バーナリング１３の平板部１３Ａの径方向外方側部分と天板３との間にも、シール材が配置される。
【００４７】
尚、上記の通り、本実施形態においては、バーナリング１３を、天板３に位置決めする状態で設ける場合を例示するが、バーナリング１３を、コンロバーナ１に対して位置決めする状態で設ける形態で実施してもよい。
【００４８】
ちなみに、図２において、Ｐは、左方側コンロバーナ１Ａを点火する点火用の点火プラグであり、Ｓは、鍋等の調理容器の存否を検出し且つその温度を検出するための被加熱物検出センサであって、上下方向に伸縮自在でかつ上方に復帰付勢された伸縮体Ｓ１を備えて、この伸縮体Ｓ１が被加熱物に押されて下方に移動したことを伸縮検知部Ｓ２にて検出することにより被加熱物の存在を検出するように構成され、また、伸縮体Ｓ１の上端部に設けた温度検知部Ｓ３にて、調理容器の温度を検出するように構成されている。
【００４９】
（五徳の構成）
次に、五徳５について詳述する。
図１及び図２に示すように、五徳５は、天板３におけるコンロバーナ設置箇所の周囲に配置する環状の五徳枠５Ａと、五徳枠径方向に延びる姿勢の五徳爪５Ｂとからなり、五徳爪５Ｂが、五徳枠５Ａの周方向の複数箇所に設けられている。
ちなみに、本実施形態においては、五徳枠５Ａ及び五徳爪５Ｂはステンレス製であり、そして、６個の五徳爪５Ｂが、６０度間隔おきに設けられている。
【００５０】
図３及び図４に示すように、五徳爪５Ｂは、五徳枠５Ａに下端が接続された状態で上方に伸びる姿勢の内側縦片５ｎと、内側縦片５ｎの上端から五徳枠径方向に沿って外方側に延びる姿勢の上側片５ｕと、上側片５ｕの外端部から下方に伸びる姿勢で且つ下端が天板３に載置される外側縦片５ｓとから構成されている。
【００５１】
つまり、五徳爪５Ｂが、内側縦片５ｎ、上側片５ｕ及び外側縦片５ｓにて、下方に開口するコの字状に構成されている、
そして、内側縦片５ｎ、上側片５ｕ及び外側縦片５ｓの夫々が、横断面形状が４角状の軸状部材にて形成されている。
尚、上側片５ｕの五徳枠径方向での長さが、内側縦片５ｎや外側縦片５ｓの長さよりも長く形成されて、大径の調理容器や小径の調理容器を適切に載置支持できるように構成されている。
【００５２】
内側縦片５ｎの下端部に、五徳枠５Ａの上部に載置された状態で当該五徳枠に接続される接続用腕部５ａが、内側縦片５ｎから五徳枠径方向に沿って屈曲する形態で設けられている。
本実施形態においては、接続用腕部５ａが、内側縦片５ｎから五徳枠径方向の外方側に屈曲する形態で設けられている
【００５３】
図２に示すように、五徳枠５Ａが、横断面形状が円形の棒状材にて構成されている。
そして、五徳枠５Ａと内側縦片５ｎの下端部の接続用腕部５ａとをプロジェクション溶接することにより、五徳爪の内側縦片５ｎの下端部が五徳枠５Ａに接続されるように構成されている。
【００５４】
すなわち、五徳爪５Ｂの内側縦片５ｎの下端部を五徳枠５Ａにプロジェクション溶接する際には、内側縦片５ｎの接続用腕部５ａを五徳枠５Ａの上部に載置した状態で、接続用腕部５ａの上端面と五徳枠５Ａの下面とに溶接用冶具（図示せず）を当て付けるようにして、図４において矢印Ｚで示すように、接続用腕部５ａと五徳枠５Ａとを溶接用冶具にて挟み込みことにより、接続用腕部５ａの下端面を五徳枠５Ａの上面に押付けるようにしながら、接続用腕部５ａと五徳枠５Ａとの間に溶接用電流を通電して、接続用腕部５ａと五徳枠５Ａとを溶融させて接続することになる。
【００５５】
図２及び図４に示すように、五徳爪５Ｂの上側片５ｕが、五徳枠径方向における内方側端部を、五徳枠径方向において、内側縦片５ｎの下端部よりも内方側に位置させる形態に構成されている。
そして、内側縦片５ｎが、上方側部を下方側部よりも五徳枠径方向において内方側に位置させる形態、換言すれば、上方側部を下方側部よりも五徳枠径方向において内方側に位置させる傾斜姿勢に構成されている。
【００５６】
ちなみに、本実施形態においては、五徳爪５Ｂの上側片５ｕの五徳枠径方向における内方側端部と、内側縦片５ｎの上方側部とが、五徳枠径方向において同じ位置に位置する状態、つまり、上側片５ｕの五徳枠径方向における内方側端部が、内側縦片５ｎの上方側部よりも、五徳枠径方向において内方側に突出しない状態となる形態に構成される場合を例示する。
【００５７】
五徳爪５Ｂにおける外側縦片５ｓの下端部に、天板３に接当する緩衝部材１５が装備されている。
緩衝部材１５は、例えばシリコンゴム等にて、外側縦片５ｓの下端部に外嵌する有底筒状に形成されるものであって、外側縦片５ｓの下端部が天板３に接当することにより、天板３が損傷するのを抑制するために設けられている。
【００５８】
図２に示すように、五徳枠５Ａが、五徳枠径方向における内方部をバーナリング１３の五徳枠径方向における外方部に当て付ける形態で、換言すれば、バーナリング１３に外嵌する形態で、バーナリング１３に位置決めされるように構成されている。
また、図２及び図３に示すように、五徳枠５Ａの周方向に並ぶ６個の五徳爪５Ｂのうちの、一つおきの３個の五徳爪５Ｂに、位置決め用の凸部Ｗが、接続用腕部５ａから下方に突出する状態で設けられ、図１及び図２に示すように、バーナリング１３には、位置決め用の凸部Ｗが嵌合する位置決め用の凹部Ｕが形成されている。
【００５９】
したがって、五徳枠５Ａ及び五徳爪５Ｂを備える五徳５が、位置決め用の凸部Ｗを位置決め用の凹部Ｕに嵌合させ、かつ、五徳枠５Ａをバーナリング１３に外嵌させた状態で、ガスコンロの上面部に設置するように構成されている。
【００６０】
（実施形態のまとめ）
以上の通り、本実施形態の五徳５は、五徳爪５Ｂの外側縦片５ｓの下端が天板３にて載置され、内側縦片５ｎの下端部が天板３に載置される五徳枠５Ａに接続されるものであるから、調理容器を載置する上側片５ｕが、内側縦片５ｎと外側縦片５ｓとによって、両持ち姿勢で支持されるものとなって、内側縦片５ｎと上側片５ｕとの接続部分や外側縦片５ｓと上側片５ｕとの接続部分に掛かるモーメントを減少させることができるため、内側縦片５ｎや外側縦片５ｓを、細い軸状部材等、細い部材にて構成することができ、加えて、両持ち姿勢で支持される上側片５ｕも、細い軸状部材等、細い部材にて構成することができるものとなる。
【００６１】
このように、内側縦片５ｎ、外側縦片５ｓ、及び、上側片５ｕを、細い部材にて構成することができるものであるから、五徳爪５Ｂを製作するための材料量を減少させることによって、五徳５の低廉化や軽量化を図ることができる。
また、五徳爪５Ｂを、細い軸状部材等の細い部材を用いて、下向きに開口するコの字状に形成することによって、五徳爪５Ｂの形状が、ほっそりした簡素な形状となり、五徳爪５Ｂの外観が簡素な印象を与えるものとなる。
【００６２】
また、内側縦片５ｎの下端部に、五徳枠５Ａの上部に載置された状態で当該五徳枠に接続される接続用腕部５ａが、内側縦片５ｎから五徳枠径方向に沿って屈曲する形態で設けられているから、五徳爪５Ｂの内側縦片５ｎの下端部を五徳枠５Ａにプロジェクション溶接する際に、内側縦片５ｎの下端部に設けた接続用腕部５ａの上端面と五徳枠５Ａの下面とに溶接用冶具（図示せず）を当て付ける状態で、内側縦片５ｎの接続用腕部５ａと五徳枠５Ａとを溶接用冶具にて挟み込みことによりプロジェクション溶接を良好に行うことができる。
【００６３】
しかも、五徳枠５Ａが、横断面形状が円形の棒状材にて構成されているため、五徳枠５Ａの形状が、接続用腕部５ａと五徳枠５Ａとの間の溶接個所に溶接用電流を集中し易い形状となるため、五徳枠５Ａに対する特別な加工を行うことなく、プロジェクション溶接を良好に行うことができる。
【００６４】
また、五徳５の五徳爪５Ｂが下向きに開口するコの字状に構成されているから、五徳５を天板３から外して清掃する際に、下向きに開口するコの字状に構成されている五徳爪５Ｂの開口側から奥部側に向けて手指を移動させる形態で、内側縦片５ｎと外側縦片５ｓとの間の空間に対して手指を挿入すれば、他の五徳爪５Ｂにて邪魔されることなく、内側縦片５ｎと外側縦片５ｓとの間の空間に対して手指を適切に挿入できるため、内側縦片５ｎの五徳枠径方向における外方部分、上側片５ｕの下方部分、及び、外側縦片５ｓの五徳枠径方向における内方部分等、五徳爪５Ｂの内方側箇所をも良好に清掃できるものである。
【００６５】
ちなみに、内側縦片５ｎの下端部には、五徳枠径方向の外方側に沿って屈曲する形態で接続用腕部５ａが設けられているが、この接続用腕部５ａの五徳枠径方向の長さは、上側片５ｕの五徳枠径方向の長さよりも十分に短い（例えば、４分の１〜５分の１程度）ものであるから、内側縦片５ｎと外側縦片５ｓとの間に手指を挿入する際に、接続用腕部５ａが邪魔になることはない。
【００６６】
〔別実施形態〕
以下、別実施形態を列記する。
【００６７】
（１）上記実施形態においては、五徳爪５Ｂの内側縦片５ｎ、上側片５ｕ、外側縦片５ｓが、横断面形状が４角状の軸状部材にて形成される場合を例示したが、横断面形状が丸型の軸状部材や横断面形状が６角状の軸状部材にて形成する等、五徳爪５Ｂの内側縦片５ｎ、上側片５ｕ、外側縦片５ｓの具体構成は、各種変更できる。
【００６８】
（２）上記実施形態においては、接続用腕部５ａが、内側縦片５ｎから五徳枠径方向の外方側に屈曲する形態で設けられる場合を例示したが、図５に示すように、接続用腕部５ａを、内側縦片５ｎから五徳枠径方向の内方側に屈曲する形態で設けるようにしてもよい。
【００６９】
（３）上記実施形態においては、五徳枠５Ａが、棒状部材にて環状に形成する場合を例示したが、五徳枠５Ａを、五徳枠径方向に沿って幅広となる状態に構成する等、五徳枠５Ａの具体形状は各種変更できる
【００７０】
（４）上記実施形態では、五徳爪５Ｂにおける内側縦片５ｎの五徳枠径方向での幅を、上下方向の全体に亘って同幅に形成して、内側縦片５ｎ全体を、上方側部を下方側部よりも五徳枠径方向において内方側に位置させる形態に構成する場合を例示したが、例えば、内側縦片５ｎにおける、五徳枠径方向における内方側部分を、上方側部を下方側部よりも五徳枠径方向において内方側に位置させ、且つ、内側縦片５ｎにおける、五徳枠径方向における外方側部分を、上方側部と下方側部とが五徳枠径方向において同じ位置に位置する形態に構成してもよく、要するに、内側縦片５ｎにおける、少なくとも五徳枠径方向における内方側部分のみを、上方側部を下方側部よりも五徳枠径方向において内方側に位置させる形態に構成すればよい。
【００７１】
（５）上記実施形態では、五徳爪５Ｂが、五徳枠５Ａの周方向における６箇所に設けられる場合を例示したが、五徳爪５Ｂの設置数は、各種変更できるものである。
【００７２】
（６）上記実施形態では、五徳爪５Ｂの上側片５ｕの五徳枠径方向における内方側端部と、内側縦片５ｎの上方側部とが、五徳枠径方向において同じ位置に位置する状態に構成される場合を例示したが、上側片５ｕの五徳枠径方向における内方側端部を、内側縦片５ｎの上方側部よりも、五徳枠径方向において内方側に突出する状態となる形態で実施してもよい。
【００７３】
（７）上記実施形態では、五徳枠５Ａ及び五徳爪５Ｂを、ステンレス材にて構成する場合を例示したが、鍍金処理された金属材や、ホーロー材を用いて構成する等、五徳枠５Ａ及び五徳爪５Ｂを形成する材料は各種変更できる。
【００７４】
（８）上記実施形態では、本発明の五徳５を、ビルトインタイプのガスコンロに適用する場合を例示したが、設置面に載置する形態のガスコンロ等、各種形式のガスコンロにも適用できるものである。
【００７５】
（９）上記実施形態では、ガスコンロの天板３が、ガラス製である場合を例示したが、本発明の五徳５は、天板３がフッ素加工処理された金属製である場合にも、適用できるものである。
【００７６】
（１０）上記実施形態では、本発明の五徳５を、左右一対のコンロバーナ１を備えるガスコンロに適用する場合を例示したが、本発明の五徳５は、３つのコンロバーナ１を備えるガスコンロや、一つのコンロバーナ１を備えるガスコンロ等、種々の形態のガスコンロに適用できるものである。
【符号の説明】
【００７７】
３      天板
Ｈ      ガスコンロ本体
５      五徳
５Ａ    五徳枠
５Ｂ    五徳爪
５ａ    接続用腕部
５ｎ    内側縦片
５ｓ    外側縦片
５ｕ    上側片
【図１】
2015200481.tif 000003
【図２】
2015200481.tif 000004
【図３】
2015200481.tif 000005
【図４】
2015200481.tif 000006
【図５】
2015200481.tif 000007